(57)【特許請求の範囲】
【請求項１】
複数の照明器具と複数の情報センサーとが共通の伝送線に接続され、情報センサーから伝送線に送信される情報信号は、照明器具が属するグループを指定するグループ指定情報と、照明器具のオン・オフまたは調光レベルの制御情報である照明負荷制御情報とを少なくとも含み、伝送線から受信される情報信号に基づいて照明器具が制御される照明システムであって、
各照明器具は、自己が属するグループを複数記憶可能な第１の記憶部と、伝送線上の情報信号を受信する第１の通信部と、受信された情報信号に含まれるグループ指定情報が第１の記憶部に記憶されたグループを指定する情報であるときは該情報信号に含まれる照明負荷制御情報に基づいて自己の照明負荷を制御する第１の演算部とを備え、
各情報センサーは、自己の検知動作に対する照明負荷制御情報を複数のグループに対応付けて記憶可能な第２の記憶部と、自己の検知動作に対して第２の記憶部に記憶された各グループに対する情報信号を出力する第２の演算部と、第２の演算部の出力する情報信号を伝送線上に送信する第２の通信部とを備え、
各照明器具は、自己が属するグループを少なくとも１つは記憶しており、
各情報センサーは、自己の検知動作に対する照明負荷制御情報を少なくとも１つのグループに対応付けて記憶していることを特徴とする照明システム。
【請求項２】
複数のグループに重複して属する照明器具において、第１の記憶部に記憶された複数のグループ指定情報に対応する照明負荷制御情報が受信されたときに、第１の演算部は、予め定められた選択基準により選択された照明負荷制御情報に基づいて自己の照明負荷を制御することを特徴とする請求項１記載の照明システム。
【請求項３】
複数のグループに重複して属する照明器具において、第１の記憶部に記憶された複数のグループ指定情報に対応する照明負荷制御情報が受信されたときに、第１の演算部は、調光レベルが高い方の照明負荷制御情報に基づいて自己の照明負荷を制御することを特徴とする請求項１記載の照明システム。
【請求項４】
複数のグループに重複して属する照明器具において、第１の記憶部に記憶された複数のグループ指定情報に対応する照明負荷制御情報が受信されたときに、第１の演算部は、受信された時間が早い方の照明負荷制御情報に基づいて自己の照明負荷を制御することを特徴とする請求項１記載の照明システム。
【請求項５】
異常の程度の重い情報信号を送信可能な情報センサーを少なくとも１つ含み、該情報信号を受信した全ての照明器具は、他の情報信号よりも優先して当該異常の程度の重い情報信号に基づいて自己の照明負荷を制御することを特徴とする請求項１記載の照明システム。
【請求項６】
異常の程度の重い情報信号は、火災発生を意味する情報信号であることを特徴とする請求項５記載の照明システム。
【請求項７】
前記情報センサーは、人体の存在を感知する人体感知センサーを含むことを特徴とする請求項１〜６のいずれかに記載の照明システム。
【請求項８】
前記情報センサーは、赤外線リモコン受信部を含むことを特徴とする請求項１〜６のいずれかに記載の照明システム。
【請求項９】
前記情報センサーは、壁スイッチを含むことを特徴とする請求項１〜６のいずれかに記載の照明システム。
【請求項１０】
前記情報センサーは、照度を感知する照度センサーを含むことを特徴とする請求項１〜６のいずれかに記載の照明システム。
【請求項１１】
前記情報センサーは、前記照明器具と一体化されていることを特徴とする請求項１〜１０のいずれかに記載の照明システム。
【請求項１２】
前記照明器具は、高周波点灯装置を含むことを特徴とする請求項１〜１１のいずれかに記載の照明システム。
【発明の詳細な説明】
【０００１】
【産業上の利用分野】
本発明は、事務所などの複数の照明器具を用いる照明システムに関するものである。
【０００２】
【従来の技術】
従来の照明システムの概要を図２に示す。図中、Ｓ１，Ｓ２，…，Ｓｍ，Ｓｎ，…，Ｓｋはセンサー、Ｓｗ１，Ｓｗ２，…，Ｓｗｎはスイッチであり、Ｌ１，Ｌ２，…，Ｌｍ，Ｌｎ，…，Ｌｋは照明器具である。このシステムでは、全体を制御するためのコントローラＣｎが１台必要となる。また、制御される照明器具やスイッチ、センサーには、それぞれの存在を示すための固有のアドレスが必要となる。例えば、図２において、スイッチＳｗ１より照明器具Ｌ１，Ｌ２，…，Ｌｍを点灯させようとする場合、スイッチＳｗ１がオンしたという情報をコントローラＣｎに送る必要があり、また、コントローラＣｎはその情報を受けて照明器具Ｌ１，Ｌ２，…，Ｌｍに点灯を指示する信号を送る、という制御手順が必要となり、このとき、各照明器具やスイッチ、センサーなどは固有のアドレスにより識別される。
【０００３】
このように、従来の照明システムでは、固有のアドレスが必要であり、また、スイッチあるいはセンサーからコントローラへの信号伝送、そして、コントローラから照明器具への信号伝送という二重の信号伝送が必要となり、スイッチあるいはセンサーから照明器具への直接の信号伝送が出来ないために、信号のトラフィックが増えて、伝送効率が悪くなるという問題があり、その伝送信号も特にコントローラに集中してしまう。また、コントローラが常に必要となるため、システム全体として高価になってしまうという問題もある。さらに、照明器具を増設するときには、個々にアドレスを割り付けたり、コントローラのプログラムを変更する必要があり、また、スイッチやセンサーなどについてもコントローラが何処からの情報かを判別するために、個々にアドレスを設定する必要があり、大変に不便であった。
【０００４】
【発明が解決しようとする課題】
本発明は、上述のような点に鑑みてなされたものであり、その目的とするところは、照明器具やスイッチ、センサー類の設置や配置変更あるいは増設の自由度が高く、利用者による自由な設定が可能な照明システムを提供することにある。
【０００５】
【課題を解決するための手段】
請求項１の発明にあっては、上記の課題を解決するために、複数の照明器具と複数の情報センサーとが共通の伝送線に接続され、情報センサーから伝送線に送信される情報信号は、照明器具が属するグループを指定するグループ指定情報と、照明器具のオン・オフまたは調光レベルの制御情報である照明負荷制御情報とを少なくとも含み、伝送線から受信される情報信号に基づいて照明器具が制御される照明システムであって、各照明器具は、自己が属するグループを複数記憶可能な第１の記憶部と、伝送線上の情報信号を受信する第１の通信部と、受信された情報信号に含まれるグループ指定情報が第１の記憶部に記憶されたグループを指定する情報であるときは該情報信号に含まれる照明負荷制御情報に基づいて自己の照明負荷を制御する第１の演算部とを備え、各情報センサーは、自己の検知動作に対する照明負荷制御情報を複数のグループに対応付けて記憶可能な第２の記憶部と、自己の検知動作に対して第２の記憶部に記憶された各グループに対する情報信号を出力する第２の演算部と、第２の演算部の出力する情報信号を伝送線上に送信する第２の通信部とを備え、各照明器具は、自己が属するグループを少なくとも１つは記憶しており、各情報センサーは、自己の検知動作に対する照明負荷制御情報を少なくとも１つのグループに対応付けて記憶していることを特徴とするものである。ここで、情報センサーとしては、人体感知センサー、赤外線リモコン受信部、壁スイッチ、照度センサーなどのいずれでも良いし、これらを混在させても良い。また、情報センサーは、照明器具と一体化されていても良い。また、照明器具は、高周波点灯装置を含むことが好ましい。
【０００６】
【作用】
請求項１の発明では、上述のように構成されているので、各情報センサーは個々の照明器具の配置には関係なく、照明器具のグループを指定して制御情報を送り出す。また、各照明器具は個々の情報センサーの配置には関係なく、自己が属するグループの制御情報のみに関与して、自己が属さないグループの制御情報には関与しない。したがって、従来の照明システムにおける情報センサーと照明器具の関係が密結合であるとすると、本発明のシステムは疎結合とも言えるものであり、照明器具を増設した場合に情報センサーの構成を変更する必要はないし、情報センサーを増設した場合に照明器具の構成を変更する必要もない。単に、照明器具には、どのグループに属するかを設定すれば良く、情報センサーには、どのグループにどれだけの影響を与える制御情報を出すかを設定すれば良い。このため、照明システムのフレキシビリティが増大し、利用者による自由なレイアウトが可能となる。
【０００７】
また、請求項２の発明では、複数のグループに重複して属する照明器具において、第１の記憶部に記憶された複数のグループ指定情報に対応する照明負荷制御情報が受信されたときに、第１の演算部は、予め定められた選択基準により選択された照明負荷制御情報に基づいて自己の照明負荷を制御するようにしたので、例えば、調光レベルの高い方を優先することにより、利用者の存在する箇所の照度が他のグループの制御情報に影響されて急に下がるというような不快感、不安感を解消することができる。
【０００８】
【実施例】
本発明の照明システムの構成例を図１に示す。このシステムは、専用信号線Ｗを用いるものであり、各照明器具Ｌ１，Ｌ２，…，Ｌｍ，Ｌｎ，…，Ｌｋ、スイッチＳｗ１，Ｓｗｋ，Ｓｗｍ，Ｓｗｎ、センサーＳ１，Ｓ２，…，Ｓｍ，Ｓｎ，…，Ｓｋ、リモコン受信部Ｒｃはそれぞれが専用信号線Ｗで接続されている。Ｒｃ１はリモコン送信部である。従来のコントローラは必要ではなく、また、各照明器具やスイッチ、センサーなどには固有のアドレスを割り付ける必要はない。各照明器具は、従来のアドレスとは関係なしに自分がどのゾーンに属しているかの情報のみを持つものである。各照明器具が属するゾーンは、ただ１つのゾーンには限らず、複数のゾーンであっても良い。また、各センサーは、自分の位置は関知せず、自分が影響を与えるゾーンにのみ信号を出すものであり、スイッチ、リモコン受信部についても同様である。
【０００９】
図３は照明器具の構成例を示しており、専用信号線Ｗから通信の情報を受け取る通信インターフェイス部１１、その受け取った情報と自己のグループ情報を解釈して照明負荷の制御信号を出力する演算部１２、また、自分がどのグループに属するかを記憶する記憶部１３から成り、演算部１２から照明負荷のＯＮ／ＯＦＦ信号や、必要に応じて調光信号を出力するものである。
【００１０】
図４はセンサーの構成例を示しており、人体検知や火災検知、照度検知等を行うためのセンサー部２０と、その検知結果に応じてどのゾーンにどの程度の影響を与える信号を出力するかを示す情報を記憶するための記憶部２３と、それらの情報を演算する演算部２２と、専用信号線Ｗへ通信の情報を出力するための通信インターフェイス部２１から成る。
【００１１】
次に、実際の動作について説明する。例えば、図５のような配置の照明システムを考える。図中、長細い四角形は照明器具Ａ、Ｂ、Ｃ、…等を示しており、白丸で示したｓ１〜ｓ１３は、センサーまたはスイッチを示している。ここで、照明器具Ａはゾーン２とゾーン５に属している。このとき、いずれかのスイッチまたはセンサーによりゾーン２の点灯が指示されると、ゾーン２に属する照明器具Ａは点灯する。同様にゾーン５の点灯が指示されると、照明器具Ａは点灯する。このように、複数のゾーンに対する指示により、そのゾーンに属する照明負荷Ａの点灯が可能となる。また、このとき、ゾーン３への点灯が指示されたとしても、照明器具Ａはゾーン３には属していないので、ゾーン３への点灯信号には関与しない。逆に、消灯の場合には、ゾーン５がオフされても、ゾーン２がオンの場合には、照明器具Ａは消灯しないように、明るい側の設定を優先するような優先順位を与えておけば、人が居るのに間違ってオフされるなど、不快感を与えることはない。
【００１２】
次に、人体感知センサーを利用した照明システムについて説明する。システム内には、図５に示すように、センサーｓ１〜ｓ１３が配置されているものとする。図において、ｓ４，ｓ５という人体感知センサーに注目する。ここで、センサーｓ５がオンになると、例えば、ゾーン１に対して８０％、ゾーン２に対して１００％、ゾーン３に対して７０％、ゾーン４に対して６０％、ゾーン５に対して８０％の割合で点灯するように制御情報をそれぞれのゾーンに対して出力するものとする。また、センサーｓ４がオンになると、例えば、ゾーン１に対して１００％、ゾーン２に対して８０％、ゾーン３に対して６０％、ゾーン５に対して１００％の割合で点灯するように制御情報をそれぞれのゾーンに対して出力し、ゾーン４に対しては何も出力しないものとする。例えば、センサーｓ５のみがオンになったとすると、それぞれのゾーンには、上記の割合で点灯させるという制御情報がセンサーｓ５から出力される。このとき、照明器具は、自分のゾーンの信号だけを見ていれば良く、他のゾーンの信号には関与しない。例えば、照明器具Ｂの場合には、ゾーン２にのみ属しているので、ゾーン２の点灯信号が来たときにのみ反応するものであり、例えば、センサーｓ５がオンになったときには、照明器具Ｂは１００％で点灯する。一方、照明器具Ａの場合には、ゾーン２，５に属するので、２通りの調光量（ゾーン２は１００％、ゾーン５は８０％）が存在するが、この場合、室内に人が居ることを考慮して、最も照度指示の高いゾーン２の制御情報を採用し、１００％で点灯させるものとする。また、センサーｓ５がオンのまま、センサーｓ４がオンしても、照明器具Ｂに対しては影響を与えないので、この場合、この制御情報は無視することができる。また、照明器具Ｃの場合には、ゾーン３のみに属しているので、例えば、センサーｓ４がオンになると、ゾーン３に対する照度指示が６０％であるから、この制御情報に従って、６０％で点灯させることになる。
【００１３】
次に、このシステムにおいて、照明器具を増設する場合には、増設した照明器具に対して専用信号線の結線をすると共に、その増設した照明器具について、どのグループに属するかの情報を設定するだけで良いので、非常に簡単に増設できる。また、センサー等を増設する場合にも、どのゾーンに対してどれだけの調光を行うかを指示するための情報を設定するだけで良く、これも簡単に増設することができる。例えば、図５の配置において、ｓ１の位置のセンサーに情報を設定する場合には、例えば、ゾーン１に対して１００％、ゾーン２に対して８０％、ゾーン３に対して３０％、ゾーン４に対して６０％、ゾーン５に対して８０％というように、各ゾーンに対する制御量を設定するだけでよく、他のことは考える必要が無いので、非常に簡単に設定作業を行うことができる。
【００１４】
以上のように、各照明器具は自分の属する１つ又はそれ以上のグループの情報を持ち、自分の属しているグループの情報のみを関知し、また、センサー類は自分から影響を及ぼすグループの情報と、各グループに対する影響度合いの情報を出すことにより、簡単な構成で自由度の高い照明システムを構成することができる。すなわち、従来のシステムのように、各照明器具やセンサー類に固有のアドレスを割り付ける必要が無く、全体を制御するためのコントローラも不要となる。また、伝送線上の信号伝送量も少なくなり、効率の良い伝送を行うことができる。
【００１５】
なお、センサー類と照明器具との対応関係は任意で良く、一対一でも良いし、一対多、多対一、多対多でも構わない。また、照明器具の光源には、高周波点灯装置を用いることにより、点灯時にちらつきなどの違和感が生じない快適な照明を行うことができて、より好ましい。
【００１６】
【表１】
0003800642.tif 000002
【００１７】
図５に示す配置について、人体感知センサーｓ１〜ｓ６のそれぞれについて、各ゾーン１〜５に対する制御の影響度合いを表１のように設定したとする。表において、１００、８０、６０、４０、３０のような数字は全点灯時に対する調光比を％で表示したものである。また、ゾーン５に対するセンサーｓ１，ｓ３の設定「−」は、影響を与えないことを意味している。ここで、例えば、センサーｓ１のみがオンした場合を考える。この場合、それぞれのゾーンには、所定の調光比の点灯信号が与えられて、ゾーン１は１００％、ゾーン２は８０％、ゾーン３は４０％、ゾーン４は６０％で調光点灯される。次に、センサーｓ３がオンになったとする。このとき、ゾーン１は既に１００％で点灯しているので、このまま点灯する。ゾーン２については、８０％で調光点灯していたところに、１００％の指示が与えられたので、１００％になるように増光して点灯する。同様に、ゾーン３については４０％のまま点灯し、ゾーン４については１００％に増光して点灯する。なお、ゾーン５については、センサーｓ１もｓ３も影響を与えないので、その前の状態を維持する。ここで、さらにセンサーｓ６がオンすると、同様の考え方で全てのゾーンが１００％で点灯することになる。このように、照度の高い方の設定を優先させることにより、先に照明を利用している者に不快感や不安感を与えないように制御することができる。
【００１８】
次に、オフ時の制御について説明する。上述の表１に示したセンサーの設定において、人体感知センサーがオフになった場合には、例えば、すべてのゾーンに対して３０％の調光を指示する信号を出すものとする。ここで、センサーｓ１，ｓ２，ｓ３，ｓ４，ｓ５までがオンである場合を考える。この場合、上述のように、最大照度の制御情報を優先しているため、ゾーン１，２，３，４は１００％、ゾーン５は８０％で点灯している。この状態からセンサーｓ３がオフになるときに、センサーｓ３からはすべてのゾーンに対して３０％の調光を指示する信号を出すことになり、この信号を忠実に反映して制御すると、人が居る場合でもすべてのゾーンが３０％点灯となり、不快感や違和感を与えてしまう。そこで、このような場合、不快感や違和感を無くすための１つの制御方式として、それぞれのゾーンで最も高い照度を優先して制御することが考えられる。また、別の制御方式として、時系列的に先に指定された制御情報を用いることにより、上述のような不快感や違和感を解消することも考えられる。
【００１９】
次に、センサーのオフ時の制御量の設定について説明する。表１では、センサーのオン時の制御量についてのみ説明したが、同様にセンサーのオフ時の制御量についても、ゾーンによって重みを付けることができる。例えば、センサーｓ３について、オン時の制御量を、ゾーン１に対して１００％、ゾーン２に対して１００％、ゾーン３に対して４０％、ゾーン４に対して６０％、そして、ゾーン５に対して６０％と設定すると共に、オフ時の制御量は、ゾーン１に対して４０％、ゾーン２に対して４０％、ゾーン３に対して２０％、ゾーン４に対して６０％、そして、ゾーン５に対して４０％と設定する。このように設定することにより、人が居ないところでは、人体感知センサーのオフにより各ゾーンを所定の制御量で減光させることができ、不快感の無い照明が可能になる。
【００２０】
次に、複数のセンサーの組み合わせによる制御について説明する。例えば、図５のゾーン３について考えると、このゾーン３はセンサーｓ６〜ｓ１３を含み、比較的広いエリアを囲んでいる。個々のセンサーは検知エリアが狭く、全エリアを検知することができない。そこで、センサーｓ６〜ｓ１３の中の１つでも検知すれば、エリア全体に点灯の制御情報を出すものとする。また、エリア内のすべてのセンサーが検知しない状態になると、エリア全体を消灯、あるいは所定の減光状態とする制御情報を出力する。これにより、検知エリアの狭いセンサーを用いて、簡単に検知エリアの広いセンサーを実現させることができる。
【００２１】
次に、通路の照度を優先させる制御方式について説明する。オフィスなどにおいては、一般に通路も必要となり、例えば、図５のレイアウトにおいては、ゾーン４が通路に相当する。このオフィスにおいて、ある空間（例えば、照明器具Ｃの場所のみ）で１人が居残って作業している場合を考えると、その周囲には人が居ないため、周囲の照明器具は消灯してしまう。このため、作業者が退出するときに、通路の部分が暗く、不安を感じることがあり得る。そこで、この場合、センサーｓ１０がオンしていると思われるので、このセンサーからゾーン３に対して１００％点灯の指示を出す。これにより、作業環境については照度が確保される。また、ゾーン１，２などに対しては他に人が居ないので、消灯もしくは大きい減光の信号を出すと共に、通路のゾーン４に対しては、５０％程度の調光点灯を行うように指示を出すことにより、作業者の退出時の通路を知らせることができ、作業者に不安感を与えることなく、省エネルギーの照明を行うことができる。このように、通路用にゾーンを割り付けて、通路部分の照度の優先度を高くした照明を行うことが好ましい。
【００２２】
次に、複数の照度センサーによる制御について説明する。図６に示す配置の照明システムにおいて、センサーｓ１〜ｓ１３は照度センサーであるものとし、図中の上側を窓側と考える。各センサーは照度を検出して、それに応じた制御情報を出力するものとする。例えば、ゾーン１については、ｓ１，ｓ６，ｓ１１の３つのセンサーがある。ここで、各センサーｓ１，ｓ６，ｓ１１が７００ｌｘ、９００ｌｘ、６００ｌｘの照度をそれぞれ検出したとする。このとき、机上面の目標照度を７００ｌｘとすると、センサーｓ１からはそのままの照度とする指示が出され、また、センサーｓ６からは７００ｌｘへ減光する指示が出され、センサーｓ１１からは７００ｌｘに増光させる指示が出されるものとする。この場合、ゾーン１の制御範囲を考えて、すべての点で目標照度の７００ｌｘを越すようにするためには、センサーｓ１１からの７００ｌｘへの増光指示を優先させることが好ましい。これにより、ゾーン１の全範囲で安定した動作が可能となる。また、このゾーンをさらに小さく細かく設定すれば、よりきめ細かい制御が可能となる。ゾーン２，３などについても同様に考えることができ、複数の照度センサーのうち、最も照度の低いセンサーからの指示値を優先させる制御を行うことにより、すべての利用者に対して快適な照明を省エネルギーで達成することができ、システムに対する利用者の不安感、不信感を解消することができる。
【００２３】
次に、壁スイッチによる制御について説明する。図７に示す配置の照明システムにおいては、上述の例とは異なり、センサーの代わりに、壁スイッチＳｗ１，Ｓｗ２を設けている。従来のスイッチは、そのスイッチの制御下にある照明器具のＯＮ／ＯＦＦしか行わないが、本発明の照明システムでは、壁スイッチＳｗ１，Ｓｗ２に上述のセンサーと同様に、各ゾーンに対する重みを持った制御情報を出力させるものである。例えば、図７の壁スイッチＳｗ１をオンすると、ゾーン１に属する照明器具をオンさせるだけではなく、ゾーン２に属する照明器具に対しても５０％の点灯指示を出すというような制御を行うことにより、自分の周囲の環境にも、ある程度の照度を与えることができ、作業者に不安感を与えることなく、省エネルギーの照明システムを構成することができる。
【００２４】
また、壁スイッチの代わりに、リモコン受信部を配置することにより、同様の機能を実現できることは明らかであり、リモコン発信部が可搬であることにより、さらにフレキシビリティの高い制御が可能となる。
【００２５】
次に、非常時の優先制御について説明する。例えば、図５に示す配置の照明システムにおいて、センサーｓ１〜ｓ１３の全部もしくは一部は、火災報知用のセンサーを兼ねているものとする。火災が検知されるまでは、それぞれのグループ毎に設定されたアルゴリズムで点灯しているものとする。ここで、いずれかのセンサー、例えば、センサーｓ１において火災が検知されると、このセンサーｓ１からは火災発生を意味するゾーンの信号を出力するものとする。全ての照明器具は他の通常の信号よりも異常情報を優先して制御するものとし、通路を除く全てのゾーンに対して８０％で点灯させると共に、通路は分かりやすいように１００％で点灯させるような信号を出すようにする。このような機能を全センサーに設けることにより、簡単にしかも瞬時に非常事態に対応することができる。この場合、器具に入る信号に優先順位を設けて、優先順位の高い信号を優先して受け付けるようにすれば良い。例えば、非常時＞通路＞スイッチ＞センサー、というような優先順位を予め付けておけば良い。
【００２６】
次に、センサーと照明器具が一体化された実施例について説明する。図７に示す配置の照明システムにおいて、各照明器具にセンサーが取り付けられているものとする。この場合、各照明器具にセンサーが取り付けられているので、各ゾーンに対する制御信号も複雑になるが、基本的には上述の例と同様の制御を行うことによって同様の機能を達成することが可能である。さらに、この場合には、照明器具に取り付けられた人体感知センサーの検知出力により、その照明器具だけを１００％で点灯させて、同じゾーンの照明器具には少し減光させる指示を出すというような制御も可能であり、これはセンサーと一体化された照明器具を１つだけ含むゾーンを作ったのと同じ効果がある。
【００２７】
【発明の効果】
請求項１の発明によれば、グループ指定情報と照明負荷制御情報とをセンサーに具備するので、センサーのアドレスは不要となり、また、各照明器具は複数のグループに属することができ、各センサーからは各グループへの制御情報を送るようにしたので、各照明器具にも個別のアドレスを付ける必要がなく、これにより、大型のコントローラが不要となり、センサーから照明器具への信号の直接伝送が可能となり、信号の伝送効率も高くなる。また、固有のアドレスを割り付ける必要が無いので、照明器具に対してはグループ情報を与えるだけで良く、施工時の設定が非常に簡単になる。このため、増設や変更が簡単にでき、照明システムのレイアウトが自由になり、配線も簡単になるという効果がある。
【００２８】
請求項２の発明によれば、複数のグループに重複して属する照明器具において、自己の属する複数のグループ指定情報に対応する照明負荷制御情報が受信されたときに、予め定められた選択基準により選択された照明負荷制御情報に基づいて自己の照明負荷を制御するようにしたので、種々の情報を受けて所定の動作を忠実に再現するだけで、システムとして予め定められた機能を発揮することができるという効果がある。
【００２９】
請求項７〜１０の発明によれば、人体感知センサー、赤外線リモコン受信部、壁スイッチ、照度センサーのような各種の情報センサーを用いることにより、利用者の存在や操作、外来光の有無等に応じて適切な照明環境を提供することができる。
【００３０】
請求項１１の発明によれば、情報センサーが照明器具と一体化されているので、設置作業が容易に行える。
【００３１】
請求項１２の発明によれば、照明器具は、高周波点灯装置を含むので、ちらつきの少ない快適な照明環境を提供することができる。
【００３２】
請求項５、６の発明によれば、情報センサーとして火災感知器や人体感知センサー、照度センサー等が混在する場合でも、火災発生時のような異常の程度の重い情報信号を優先して処理することができる。
【００３３】
請求項３の発明によれば、複数のグループに対応する照明負荷制御情報のうち調光レベルが高い方の照明負荷制御情報に基づいて照明負荷を制御するようにしたので、意図しない照明環境が生じることはなく、必要な照明環境を確実に実現することができる。
【００３４】
請求項４の発明によれば、複数のグループに対応する照明負荷制御情報のうち受信された時間が早い方の照明負荷制御情報に基づいて照明負荷を制御するようにしたので、意図しない照明環境が生じることはなく、必要な照明環境を確実に実現することができる。
【図面の簡単な説明】
【図１】本発明の照明システムの全体構成図である。
【図２】従来の照明システムの全体構成図である。
【図３】本発明の照明システムに用いる照明器具のブロック図である。
【図４】本発明の照明システムに用いる情報センサーのブロック図である。
【図５】本発明の照明システムにおけるゾーン分割の一例を示す説明図である。
【図６】本発明の照明システムにおけるゾーン分割の他の一例を示す説明図である。
【図７】本発明の照明システムにおけるゾーン分割の別の一例を示す説明図である。
【符号の説明】
Ｓ１，Ｓ２，…，Ｓｋ      センサー
Ｌ１，Ｌ２，…，Ｌｋ      照明器具
【図１】
0003800642.tif 000003
【図２】
0003800642.tif 000004
【図３】
0003800642.tif 000005
【図４】
0003800642.tif 000006
【図５】
0003800642.tif 000007
【図６】
0003800642.tif 000008
【図７】
0003800642.tif 000009